(57)【要約】  実施形態は、通信端末におけるメディア信号を再生する方法であって、該通信端末の制御ユニットの制御の下において、ネットワークを介して伝送情報を受信する受信ステップ、メディア信号を形成する第１の順序で、通信端末に記憶されている複数のメディアファイルを選択する選択ステップ、選択された複数のメディアファイルを通信端末の出力装置を介して第１の順序で再生する再生ステップとを有する方法に関する。
2011520322.tif 000002
【特許請求の範囲】
【請求項１】
通信端末におけるメディア信号を再生する方法であって、該通信端末の制御ユニットの制御の下において、
ネットワークを介して伝送情報を受信する受信ステップ（５２）と、
メディア信号を形成する第１の順序で、前記通信端末に記憶されている複数のメディアファイルを選択する選択ステップ（５４）と、
前記選択された複数のメディアファイルを前記通信端末の出力装置を介して前記第１の順序で再生する再生ステップ（５６）と、
を有することを特徴とする方法。
【請求項２】
前記選択ステップはランダムに実行されることを特徴とする請求項１に記載の方法。
【請求項３】
前記伝送情報は発呼者識別情報を含み、前記選択ステップは該発呼者識別情報に基づくことを特徴とする請求項１又は２に記載の方法。
【請求項４】
前記発呼者識別情報が前記通信端末のアドレスリストにおける名前に格納されているかを判断するステップを更に有し、前記選択ステップは、前記アドレスリストにおける名前に基づくことを特徴とする請求項３に記載の方法。
【請求項５】
前記選択された複数のメディアファイルは、連続して１つずつ前記出力装置に送信され、前記選択が行われると直ちに再生されることを特徴とする請求項１乃至４のいずれか１項に記載の方法。
【請求項６】
前記選択された複数のメディアファイルは互いに付属されて前記出力装置に送信されることを特徴とする請求項１乃至４のいずれか１項に記載の方法。
【請求項７】
前記複数のメディアファイルはオーディオファイルを含むことを特徴とする請求項１乃至６のいずれか１項に記載の方法。
【請求項８】
前記複数のメディアファイルは、スポーツ、動物、楽器、奇妙な音などのカテゴリ別に分類されて記憶されることを特徴とする請求項１乃至７のいずれか１項に記載の方法。
【請求項９】
前記選択ステップは、少なくとも１つのカテゴリ内のメディアファイルを選択するよう事前に設定されることを特徴とする請求項８に記載の方法。
【請求項１０】
前記選択ステップは、ＳＭＳ又は呼のような、前記受信した伝送情報のフォーマットに基づいて実行されることを特徴とする請求項１乃至９のいずれか１項に記載の方法。
【請求項１１】
通信端末（１０）であって、
ネットワークを介して伝送情報を受信する受信ユニット（３２）と、
メディア信号を出力する出力ユニット（２０，２４）と、
前記伝送情報が受信されると、メディア信号を形成する第１の順序で、記憶されている複数のメディアファイルを選択し、該選択した複数のメディアファイルを前記出力ユニット（２０，２４）に送信する制御ユニット（３０）と、
を有し、
前記出力ユニット（２０，２４）は、前記第１の順序で前記複数のメディアファイルを再生する
ことを特徴とする通信端末。
【請求項１２】
前記制御ユニット（３０）は、前記伝送情報が前記通信端末のアドレスリストにおける連絡先としてメモリ（３４）に記憶された発呼者から発信されたものであるかを判断し、該判断に基づき前記メディアファイルを選択することを特徴とする請求項１１に記載の通信端末。
【請求項１３】
前記制御ユニット（３０）は、前記メディア信号を形成する複数のメディアファイルをランダムに選択することを特徴とする請求項１１又は１２に記載の通信端末。
【請求項１４】
前記制御ユニット（３０）は、前記伝送情報を発信した発呼番号に基づいて前記複数のメディアファイルを選択することを特徴とする請求項１１又は１２に記載の通信端末。
【請求項１５】
前記複数のメディアファイルは、前記通信端末のメモリ（３４）にカテゴリ別に分類されて記憶されており、前記制御ユニット（３０）は、設定されたカテゴリ内のメディアファイルを選択することを特徴とする請求項１１乃至１４のいずれか１項に記載の通信端末。
【請求項１６】
前記制御ユニット（３０）は、前記伝送情報のフォーマットに基づいて前記複数のメディアファイルを選択することを特徴とする請求項１１乃至１５のいずれか１項に記載の通信端末。
【請求項１７】
前記複数のメディアファイルはオーディオファイルを含み、前記出力ユニット（２４）はスピーカを含むことを特徴とする請求項１１乃至１６のいずれか１項に記載の通信端末。
【請求項１８】
前記複数のメディアファイルは映像ファイルを含み、前記出力ユニット（２０）はディスプレイを含むことを特徴とする請求項１１乃至１７のいずれか１項に記載の通信端末。
【請求項１９】
コンピュータが使用可能な記憶媒体に格納されたコンピュータプログラムであって、通信端末の制御ユニットに、
ネットワークを介して伝送情報を受信する受信ステップ、
メディア信号を形成する第１の順序で、前記通信端末のメモリに記憶されている複数のメディアファイルを選択する選択ステップ、
前記通信端末の出力装置を介して、前記複数のメディアファイルを前記第１の順序で再生する再生ステップ、
を実行させるためのコンピュータプログラム。
【請求項２０】
前記選択ステップはランダムに実行されることを特徴とする請求項１９に記載のコンピュータプログラム。
【請求項２１】
前記伝送情報は発呼者識別情報を含み、前記選択ステップは該発呼者識別情報に基づくことを特徴とする請求項１９又は２０に記載のコンピュータプログラム。
【請求項２２】
前記発呼者識別情報が前記通信端末のアドレスリストにおける名前に格納されているかを判断させるステップを更に有し、前記選択ステップは、前記アドレスリストにおける名前に基づくことを特徴とする請求項１９乃至２１のいずれか１項に記載のコンピュータプログラム。
【請求項２３】
前記複数のメディアファイルは、スポーツ、動物、楽器、奇妙な音、などのカテゴリ別に分類されて記憶されており、前記選択ステップは、少なくとも１つのカテゴリ内のメディアファイルを選択するよう事前に設定されることを特徴とする請求項１９乃至２２のいずれか１項に記載のコンピュータプログラム。
【請求項２４】
前記選択ステップは、ＳＭＳ又は呼のような、前記受信した伝送情報のフォーマットに基づいて実行されることを特徴とする請求項１９乃至２３のいずれか１項に記載のコンピュータプログラム。
【発明の詳細な説明】
【技術分野】
【０００１】
本発明はメディア信号を作成するための方法に関する。詳細には、メディア信号を作成し出力する通信端末が提供される。
【背景技術】
【０００２】
今日、セルラ電話機等の通信端末における特徴はその数が増え、通信端末のユーザによって使用されるサービスに価値を付加されている。通信端末装置のユーザは一般に、通信端末のスピーカを通じて出力される信号により着呼を知らされるようになっている。アドレスリストにおける異なる連絡先について異なる信号を通信端末に蓄積しておき、各連絡先に特有な信号を関連付けておくことにより、ユーザは電話機を見ることなく誰からの呼なのかを認識することができる。
【発明の概要】
【発明が解決しようとする課題】
【０００３】
しかしながら、種々の信号を設定するのはユーザにとってかなりの時間を要し、そのため、この特徴はあまり使用されていない。
【０００４】
実施形態は通信端末の機能を高める通信端末の特徴の提供に関する。
【課題を解決するための手段】
【０００５】
実施形態よれば、通信端末におけるメディア信号を再生する方法であって、該通信端末の制御ユニットの制御の下において、ネットワークを介して伝送情報を受信する受信ステップと、メディア信号を形成する第１の順序で、前記通信端末に記憶されている複数のメディアファイルを選択する選択ステップと、選択された前記複数のメディアファイルを前記通信端末の出力装置を介して前記第１の順序で再生する再生ステップとを有することを特徴とする方法が提供される。本方法によれば、通信端末の機能を高めることができる。
【０００６】
また、実施形態によれば、通信端末であって、ネットワークを介して伝送情報を受信する受信ユニットと、メディア信号を出力する出力ユニットと、前記伝送情報が受信されると、メディア信号を形成する第１の順序で、記憶されている複数のメディアファイルを選択し、該選択した複数のメディアファイルを前記出力ユニットに送信する制御ユニットとを有し、前記出力ユニットは、前記第１の順序で前記複数のメディアファイルを再生することを特徴とする通信端末が提供される。この通信端末によれば、通信端末の機能を高めることができる。
【０００７】
さらに、実施形態によれば、コンピュータが使用可能な記憶媒体に格納されたコンピュータプログラムであって、通信端末の制御ユニットに、ネットワークを介して伝送情報を受信する受信ステップ、メディア信号を形成する第１の順序で、前記通信端末のメモリに記憶されている複数のメディアファイルを選択する選択ステップ、前記通信端末の出力装置を介して、前記複数のメディアファイルを前記第１の順序で再生する再生ステップを実行させるためのコンピュータプログラムが提供される。
【０００８】
実施形態は、例えば発呼者ＩＤ等に応じて、着呼に対し再生するメディア信号を作成する通信端末を開示する。通信端末は、各連絡先／呼に対し自動的にメディア信号を「実時間（on the fly）」で作成しなければならず、幾つかの実施形態においては、通信端末は、電話番号又は電話帳の名前を使用し、各着呼に特有なメディア信号を提供する。
【図面の簡単な説明】
【０００９】
【図１】別の端末に発呼する端末を示す図。
【図２】通信システムにおける通信端末を示す図。
【図３】メディア信号を出力するための方法を示すフローチャート。
【図４】メディア信号を出力するための方法を示す図。
【発明を実施するための形態】
【００１０】
以下、本発明の実施形態を示す添付図面を参照して、本発明を詳細に説明する。ただし、本発明は本明細書に示す実施形態に限定されると解釈すべきではない。むしろ、これらの実施形態は、この開示が詳細かつ完全であり、当業者に本発明の範囲が十分に伝わるよう、提供するものである。本明細書において、同一の参照番号は同一の要素を示すものとする。
【００１１】
本明細書で使用されているように、「を備えている（comprising）」又は「を備える（comprises）」という用語はオープンエンドスタイルの用語であって、記述した１以上の特徴、数値、エレメント、ステップ、構成要素又は機能を含むものであるが、１以上の他の特徴、数値、構成要素、機能又はこれらのグループの存在又は追加を排除するものではない。
【００１２】
本明細書で使用されているように、「及び／又は（and／or）」という用語は、１以上の関連付けられ、リストされた項目の任意の、及び、すべての組み合わせを含むものとする。本明細書で使用する用語法は特定の実施形態を説明する目的のためのみであり、本発明を限定しようとする意図ではない。本明細書で使用する場合、文脈により明確に別途指示しない限り、単数形「ａ」，「ａｎ」及び「ｔｈｅ」は複数形をも含むと考えられる。
【００１３】
別途定義しない限り、本明細書で使用する（技術的及び科学的用語を含む）全ての用語は本発明の属する技術の分野における通常の知識を有する者が一般に理解するのと同じ意味を有する。さらに理解されるであろうことは、一般に使用される辞書において定義されるような用語はその関連技術の文脈における意味と一致する意味を有すると解釈すべきであり、本明細書においては明白に定義しない限り理想的又は過度に形式的な意味に解釈しないこととする。
【００１４】
理解されるであろうことは、ある要素が別要素に「結合」又は「接続」している (coupled, connected) と言う場合、要素は他要素に直接結合又は接続することがありうるか、又は介在する要素が存在することもありうることである。対照的に、ある要素が別の要素に「直接結合」又は「直接接続」している (directly coupled, directly connected) と言う場合、介在する要素は存在しない。また、本明細書で使用する場合、「結合する」又は「接続する」は無線で結合又は接続することを含みうる。
【００１５】
周知の機能や構成については、簡潔あるいは明瞭化のため詳細には説明しない場合がある。
【００１６】
本発明は、方法、電子装置、コンピュータプログラムのうちの少なくともいずれかとして実施しうる。従って、本発明はハードウェア（ファームウェア、常駐ソフトウェア、マイクロコード、などを含む）又はソフトウェアの少なくともいずれかにおいて実施することができ、これらを一般に本明細書では「回路」又は「モジュール」と呼ぶことがある。さらに、本発明がとることができる形式は、コンピュータが使用可能な又はコンピュータが読むことのできる記憶媒体に格納されたコンピュータプログラムであり、記憶媒体は命令実行システムにより使用する媒体において、又は命令実行システムと接続して実施するコンピュータが使用可能な又はコンピュータが読むことのできるプログラムコードを有する。本明細書の文脈では、コンピュータが使用可能な又はコンピュータが読むことのできる媒体は命令実行システム、装置、又はデバイスにより、又は命令実行システム、装置、又はデバイスと接続して使用するプログラムを包含、蓄積、通信、伝搬するか、又は伝送することができる任意の媒体でありうる。
【００１７】
方法及び通信端末のブロック図及び／又は動作説明を参照して、本発明による実施形態を説明する。この点に関して、各ブロックが表しうるのはモジュール、セグメント、部分コードであり、これらは特定の論理機能（単数又は複数）を実装する１つ以上の実行可能な命令を含む。理解すべきことは、ブロック図の各ブロック及び／又は動作説明、及びブロック図のブロックの組み合わせ及び／又は動作説明は、無線周波数、アナログ及び／又はデジタルハードウェア、及び／又はプログラム命令により実装することができることである。これらのプログラム命令はコントローラに提供することができ、コントローラが含みうるのは１つ以上の汎用プロセッサ、専用プロセッサ、ＡＳＩＣ、又はその他のプログラマブルデータ処理装置のうちの少なくともいずれかであり、コントローラ又は他のプログラマブルデータ処理装置のうちの少なくともいずれかにより実行される命令はブロック図及び／又は動作ブロック（単数又は複数）において指定する機能／動作を実装する手段を作成するようにする。幾つかの代替実装では、ブロックにおいて表す機能／動作は動作説明において表す順序外で生じうる。例えば関係する機能／動作に応じて、連続して示す２つのブロックは実際には実質上同時に実行しうるか、又はブロックは時に逆順序で実行しうる。
【００１８】
これらのコンピュータプログラム命令はまたコンピュータが使用可能な又はコンピュータが読むことのできるメモリにも蓄積することができ、メモリはコンピュータ又は他のプログラマブルデータ処理装置に特定の方法で機能するように指令することができ、コンピュータが使用可能な又はコンピュータが読むことのできるメモリに蓄積する命令がフローチャート及び／又はブロック図のブロック（単数又は複数）において指定する機能を実装する命令を含む作成品目を作成するようにする。
【００１９】
コンピュータが使用可能な又はコンピュータが読むことのできる媒体は例であり、限定しないが、電子的、磁気的、光学的、電磁気的、赤外線又は半導体システム、装置、デバイス、又は伝搬媒体でありうる。コンピュータが読むことのできる媒体のより特定例（非網羅的リスト）は以下のものを含む。ハードディスク、光蓄積デバイス、インターネット又はイントラネットをサポートする伝送媒体、磁気蓄積デバイス、１本以上の結線を有する電子接続、ポータブルコンピュータディスク、ランダムアクセスメモリ（ＲＡＭ、random access memory）、読み出し専用メモリ（ＲＯＭ、read-only memory）、消去可能プログラマブル読み出し専用メモリ（ＥＰＲＯＭ、erasable programmable read-only memory又はフラッシュメモリ）、光ファイバ、及び、コンパクトディスク読み出し専用メモリ（ＣＤ−ＲＯＭ、compact disc read-only memory）。
【００２０】
本発明の動作を実行するコンピュータプログラムコードはJava（登録商標）、Smalltalk又はＣ++のようなオブジェクト指向プログラミング言語で記述することができる。もっとも、本発明の動作を実行するコンピュータプログラムコードはまた「Ｃ」プログラミング言語及び／又は下位レベルのアセンブラ言語のような従来の手続き型プログラミング言語でも記述することもできる。さらに理解されるであろうことは、個別ハードウェア構成要素、１つ以上のアプリケーション専用集積回路（ＡＳＩＣ、application specific integrated circuit）又はプログラム化デジタル信号プロセッサ又はマイクロコントローラを使用して、任意の又は全てのプログラムモジュールの機能をも実装しうることである。
【００２１】
本明細書で使用する場合、限定しないが「通信端末」が含むのは、公衆交換電話ネットワーク（ＰＳＴＮ、public-switched telephone network）、デジタル加入者線（ＤＳＬ、digital subscriber line）、デジタルケーブル、又は別のデータ接続／ネットワークによるような有線接続、及び／又は、例えばセルラネットワーク、衛星ネットワーク、無線ローカル・エリア・ネットワーク（ＷＬＡＮ、wireless local area network）との無線インタフェースにより、通信信号を受信／送信するようにする端末及び／又は別の通信端末である。
【００２２】
通信端末が無線インタフェースを経て通信するようにする場合、通信端末を本明細書においては「無線通信端末」又は「無線端末」と呼ぶ。限定しないが、無線端末は、例えば、セルラ電話機、パーソナルデータアシスタント（ＰＤＡ、personal data assistant）、ページャ、又はコンピュータのうちの少なくともいずれかを含む。コンピュータは、無線通信インタフェースを経てデータ通信を行うように構成される。無線通信インタフェースは、セルラ電話インタフェース、ブルートゥースインタフェース、無線ローカル・エリア・ネットワーク・インタフェース（例えば８０２．１１）、別のＲＦ通信インタフェース、又は、光通信もしくは赤外線通信インタフェースのうちの少なくともいずれかを含むことができる。
【００２３】
本明細書で使用する場合、「移動端末」は携帯可能、運搬可能であり、（航空、海運、又は地上ベースの）乗物に搭載されるか、又はあるところに位置し、あるいは、ローカル、地上、宇宙のうちの任意の他の位置に分散して動作するようにすることができる。
【００２４】
図１は通信システムの概観図を示し、通信システムは、第１の通信端末９及び第２の通信端末１０を含む。第１の通信端末９が第２の通信端末１０に発呼Ｃを行う場合、第２の通信端末１０は接続設定要求を受信する。第２の通信端末１０は呼の発信元に関する、例えば第１の通信端末９の発呼者ＩＤによる通知を受けうる。第２の通信端末１０のユーザに着呼を知らせるメディア信号Ｓは、第２の通信端末１０のユーザ及び周辺に再生される。第２の通信端末１０は、複数の異なるメディアファイルを第１の順序で選択することによりメディア信号を作成（assemble）する特徴を備える。メディアファイルは通信端末１０内の記憶装置から取り出すことができ、このメディア信号の作成は発呼者ＩＤ等に基づきランダムに実行することができる。自動的にメディア信号を作成するこの特徴によって通信端末の機能を高めことができる。例えば、この特徴によって、端末ユーザ並びに周辺の人を、呼の着信に対してより注意を引きつけることができ、通信端末はより魅力的で有用なものにすることができる。
【００２５】
次に図２を参照して、本発明の幾つかの実施形態に従う例示の移動無線通信端末１０を説明する。無線端末１０は、１つ以上の他の無線端末との間で、直接的な無線通信インタフェース、１つ以上のセルラ基地局を介した別の無線通信インタフェース、又は、無線ローカル・エリア・ネットワーク（ＷＬＡＮ）ルータを介した別の無線通信インタフェース、の少なくともいずれかを経て、データ通信を行う。
【００２６】
図２に示すように、無線端末１０は、無線電話通信システム２の一部を形成する移動無線電話機でありうる。システム２は、移動無線通信端末１０及び、無線通信ネットワーク５の一部である基地局トランシーバを含む。幾つかの実施形態では、ネットワーク５は基地局トランシーバを含み、基地局トランシーバはセルラネットワークの個々のセルを規定する１又は２以上の無線トランシーバを含み、（インタフェース７を介して）移動端末１０及び無線リンクプロトコルを使用してセルの他の移動端末９と通信する。本発明の幾つかの実施形態では、例えば無線通信ネットワーク５を規定する移動通信交換局及びその他のデバイスを通じて、多くの基地局トランシーバが接続されうることは理解されよう。
【００２７】
図示する実施形態の移動端末１０は、携帯可能な大きさの筐体アセンブリ１２、ディスプレイ２０、ユーザインタフェース（即ち、マンマシンインタフェース（ＭＭＩ、man machine interface））を備える。ユーザインタフェースは、スピーカ２４（即ち、音響トランスデューサ）及び、キーパッドなどの入力装置２２を含む。移動端末１０はさらに、制御ユニット３０、通信モジュール３２、及びメモリ３４を備えている。移動端末１０の以上の構成要素は多くの従来の移動端末に含むことができ、それらの機能は当業者に一般に公知のものである。移動端末１０は、メモリ３４に蓄積しうる１つ以上のアプリケーションをさらに含む。
【００２８】
ディスプレイ２０は、任意の適当なディスプレイスクリーンアセンブリでありうる。このディスプレイスクリーンは例えば、補助照明（例えば、照明パネル）を伴うか又は伴わない液晶表示装置（ＬＣＤ、liquid crystal display）でありうる。
【００２９】
ユーザインタフェースは、任意の適当な１つ以上の入力デバイス２２を含むことができる。入力デバイス２２は、例えば、タッチ稼動又はタッチ感応デバイス（例えば、ディスプレイを入力装置と組み合わせるタッチスクリーン）、ジョイスティック、キーボード／キーパッド、ダイヤル、１つ以上の方向キー、ポインティングデバイス（マウス、トラックボール、タッチパッド等）のうちの少なくともいずれかを含む。スピーカ２４は入力オーディオ信号に対応する音響を生成する。ユーザインタフェースはまたオーディオプロセッサに結合するマイクロフォンも含むことができ、オーディオプロセッサはマイクロフォンにおける入力音響に対応するオーディオデータストリームを生成する。
【００３０】
制御ユニット３０は通信端末１０の種々の機能をサポートすることができ、例えば任意の市販で入手しうるか又はカスタムマイクロプロセッサ／ＣＰＵでありうる。通信端末１０の制御ユニット３０は、ディスプレイ２０への表示イメージ又はスピーカ２４へのオーディオデータの少なくともいずれかを生成する。
【００３１】
メモリ３４は、デジタル情報信号を記憶するほか、デジタルメディア信号、デジタルメディアファイル（例えばデジタルオーディオ信号、デジタル画像、デジタルビデオクリップ及び／又はデジタルオーディオファイル）、短いデジタル波ファイル、アドレスリストなどのデータを記憶する。
【００３２】
通信モジュール３２は、１つ以上の無線インタフェースを経て、例えば別のリモート無線端末９にデータを通信する。通信モジュール３２は、セルラ通信モジュール、直接的ポイントツーポイント接続モジュール、又は、ＷＬＡＮモジュールのうちの少なくともいずれかを含むことができる。
【００３３】
セルラ通信モジュールにより、例えば、ＡＭＰＳ（Advanced Mobile Phone Service）、ＡＮＳＩ−１３６、ＧＳＭ（Global Standard for Mobile communication）、ＧＰＲＳ（General Packet Radio Service）、ＥＤＧＥ（enhanced data rates for GSM evolution ）、ＣＤＭＡ（code division multiple access）、広帯域ＣＤＭＡ、ＣＤＭＡ２０００、及び、ＵＭＴＳ（Universal Mobile Telecommunications System）などのうち１つ以上のセルラ通信プロトコルを使用して、無線端末１０は、ネットワーク５の１つ以上の基地局を介して通信することができる。セルラ基地局は移動電話交換局（ＭＴＳＯ、Mobile Telephone Switching Office）無線ネットワークに接続することができ、移動電話交換局無線ネットワークは更に、ＰＳＴＮ及び／又は別のネットワークに接続することができる。
【００３４】
通信モジュール３２は、トランシーバを含むことができ、トランシーバは送信回路及び受信回路を通常有し、送信回路及び受信回路はアンテナを介して音声信号及びデータ信号のような出力無線周波数信号及び入力無線周波数信号をそれぞれ（例えば、ネットワーク５、ルータ又は直接別の端末に）送信し、（例えばネットワーク５、ルータ又は直接別の端末から）受信する。通信モジュール３２はブルートゥース送信機及び受信機のような近距離送信機及び受信機を含みうる。アンテナは埋め込みアンテナ、格納式アンテナ又は当業者に既知の、本発明の範囲から逸脱することのない任意のアンテナでありうる。移動端末１０とネットワーク５、ルータ又は他端末間で伝送する無線周波数信号はトラヒック信号及び制御信号（例えば、ページング信号／着呼のメッセージ）双方を含むことができ、制御信号は別の相手又は宛先との通信の確立及び維持に使用される。無線周波数信号は例えばセルラ・デジタル・パケット・データ（ＣＤＰＤ、cellular digital packet data）情報のようなパケットデータ情報も含みうる。また、トランシーバは、ＩＲポートを介して、他の通信端末へ赤外線信号を送信し、又は、他の通信端末から赤外線信号を受信する赤外線（ＩＲ）トランシーバである。
【００３５】
移動端末１０は、入力光に基づき静止画又はビデオデータストリームの少なくともいずれかを生成するカメラなどの構成部品をさらに含むことができる。
【００３６】
幾つかの実施形態によれば、移動端末１０はハンドヘルド型の移動端末である。「ハンドヘルド型の移動端末」とは、移動端末の外形寸法が一般のユーザが片手で使用するのに適当であることを意味する。幾つかの実施形態によれば、ハンドヘルド型の移動端末１０の総容積は約２００ｃｃより少ない。幾つかの実施形態によれば、ハンドヘルド型の端末１０の総容積は約１００ｃｃより少ない。幾つかの実施形態によれば、ハンドヘルド型の移動端末１０の総容積は約５０ｃｃと１００ｃｃの間である。幾つかの実施形態によれば、ハンドヘルド型の移動端末１０の寸法は約２００ｍｍを超えない。
【００３７】
メモリ３４にはトーン作成アプリケーションが記憶されている。トーン作成アプリケーションが制御ユニット３０により実行されると、小容量のメディアファイルの、メディア信号、リングトーンが作成される。メディア信号は、多くの異なる小さなサウンド／ビデオにより構成される。多くの異なる小容量のサウンド／ビデオによって面白い組み合わせが作成される。種々の設定／「テーマ」を設定して、機械的雑音、動物の鳴き声、奇妙な音、楽器音などのメディア信号をさまざまな角度から微調整することができる。小容量のサウンド／ビデオ、サウンド／ビデオサンプルは分類して記憶され、メディア信号に組み込む特定のカテゴリのメディアファイルを手動で決定することが可能である。
【００３８】
幾つかの実施形態では、メディア信号はメディアファイルがランダムに組み合わせられて作成される。この機能の追加により、通信端末のユーザは常に変化する呼び出し音を経験することになる。また、アドレスリストにおける連絡先に基づいてメディア信号を作成することも可能である。
【００３９】
また、制御ユニット３０は、信号アプリケーションを実行すると、オーディオフォーマットファイル、静止画ファイル、動画ファイルなどのメディアファイルを、スピーカ２４及び／又はディスプレイ２０を経て再生するように構成される。
【００４０】
一例として、発呼者ＩＤを含む呼が通信モジュール３２により受信される。オプションのステップとして、通信端末の制御ユニット３０は、その発呼者ＩＤをアドレスリストに記憶されたそれぞれの番号と比較することより、着呼を分析する。一致するものが見つかれば、制御ユニット３０は、記憶されているその一致する発呼者ＩＤの名前に基づき複数のメディアファイルを選択し、メディア信号の作成を開始する。そして、この作成されたメディア信号を再生し、スピーカ装置に出力する。例えば、スティーブ（Steve）からの着呼の場合、メディア信号「象、象、鳥の鳴き声」を生成し、ビビアン（Vivian）からの着呼の場合は「鳥の鳴き声、ギターソロ、鳥の鳴き声、コンガ」を生成することができる。
【００４１】
アドレスリストは、通信端末のローカルメモリ又はＳＩＭカードのようなリムーバブルメモリに蓄積することができる。
【００４２】
幾つかの実施形態の結果として、通信端末のユーザは、メディア信号の作成、及び、メディア信号の連絡先との関連付けの少なくともいずれかを行う必要がなくなる。代わって、通信端末の制御ユニットは、アプリケーションを実行すると、連絡先に対応するメディア信号を自動的に作成する。
【００４３】
通信端末のユーザは、オプションとして、電話機をあるカテゴリのサウンド、例えばドラムビート、のみを再生するように設定することができる。この場合、通信端末は、単に種々のドラム音を組み合わせて再生することになる。
【００４４】
図３に、メディア信号を作成、再生する方法のフローチャートを示す。
【００４５】
ステップ５２で、通信端末は、第２の通信端末から、呼設定要求、ＳＭＳ、ＭＭＳ、電子メールなどの着信に係る伝送情報を受信する。ＧＳＭ、ＧＰＲＳ、ＷＣＤＭＡ等の任意の規格によれば、設定メッセージは回線交換、パケット交換無線／有線ネットワークを経ることができる。伝送情報は要求発生元に関する情報、例えば発呼者の電話番号を含みうる。
【００４６】
ステップ５４で、通信端末の制御ユニットは、メディア信号に組み込むための、通信端末に記憶されているオーディオファイル、ビデオファイル等の複数のメディアファイルを選択する。選択はリアルタイムに実行され、組み合わされる複数のメディアファイルが、要求発信元の情報に基づき、又は、ランダムに、選択される。また、通信端末のアドレスリストにおける発呼者特定番号の存在に基づき、複数のメディアファイルが選択されるようにしてもよい。すなわち、通信端末のアドレスリストに発呼者があれば特定の方法でメディア信号を構築し、アドレスリストになければ種々の方法でメディア信号を構築することができる。発呼者がアドレスリストに記憶され、特定のグループに関連付けられていれば、メディア信号は１つの方法で作成されうる。例えば、グループ「仲間」の連絡先は常にトイレの水を流すメディアファイルにより開始し、グループ「家族」の連絡先は常に鳴く鳥のメディアファイルにより開始する。
【００４７】
ステップ５６で、制御ユニットは、作成したメディア信号をスピーカに送信し、これにより、作成したメディア信号が出力される。ここで、複数のメディアファイルが選択されると、選択された複数のメディアファイルが１つずつ連続的に送信され、出力装置において、選択された順序で再生されうる。複数のメディアファイルの選択及び送信の処理は非常に高速に行われ、作成されたメディア信号は中断することなく提示されることになる。
【００４８】
なお、選択は、発呼者の発呼番号に基づき準ランダムに実行することもできる。例えば、発呼番号が特定の数で始まる場合には、特定のカテゴリ等のメディアファイルによりトーン信号が始まるようにしてもよい。
【００４９】
幾つかの実施形態では、メディア信号は、発呼番号の順方向又は逆方向の並びに基づいて作成される。これは、番号の和の他に、番号の末尾２桁に基づくようにすることができる。任意の桁の番号を組み合わせることが可能ではあるが、発呼番号は同じ数字で始まることが多いので、各発呼番号に特有のサウンドを作成するために、末尾から逆方向への番号の並びに基づいてメディアファイルの選択を行うようにするとよい。あるいは、発呼番号の例えば末尾２桁の数字とその和に基づくようにしてもよい。例として、発呼番号０５０−５２４３５に対しては、サウンドｎｒ２４（車）で始まり、サウンド５（ベビー）及び３（げっぷ）が続き、よく似た発呼番号０５０−５２４３４に対しては、サウンドｎｒ２３（叫び声）で始まり、ｎｒ４（フラッシュ）及び３（げっぷ）が続く。
【００５０】
アドレスリストにおける発呼者ＩＤの名前に基づいてメディア信号を作成するようにしてもよい。例えば、メディアファイルを特定の文字に関連させる。例えば、「アンナ（Anna）」に対して、組み合わせるメディアファイルは、例えばＡ＝「泣く」、Ｎ＝「笛を吹く」、Ｎ＝「笛を吹く」、Ａ＝「泣く」とする。
【００５１】
図４に、メディア信号の再生方法の概要を示す。
【００５２】
電話機、無線電話機などの通信端末を使用して、第１の端末９は第２の端末１０に発呼する。第２の端末１０は、その呼を受信し、例えば発呼者ＩＤの発信元電話番号を、リムーバブルメモリ又は第２の端末１０に記憶されたアドレスリスト１１における各エントリと比較することにより、着呼を分析する（Ｓ１）。一致するものが見つかれば、第２の端末は、当該エントリに基づいてメディア信号を得る選択方法により、サウンドのサンプル等の複数のメディアファイルを選択することにより（Ｓ２Ｉ）、アドレスリストの当該エントリに基づいてメディア信号を作成する。メディアファイルは、メディアファイルのプール１３に格納されている。プール１３は、メディアファイルをカテゴリ別に分類して記憶するように構成される。メディアファイルの選択及び最終成果への選択メディアファイルの追加は、設定方法に従い、全エントリがメディア信号と関連付けられるまで繰り返し実行される。
【００５３】
次に、構築されたメディア信号は、出力装置により再生される（Ｓ２ＩＩ）。メディア信号は、１つのファイルとして再生されるか、あるいは、選択方法に従い制御ユニットによって複数のメディアファイルが選択される場合には、出力装置に連続して１つずつ供給される複数のメディアファイルとして再生される。これは、メディアファイルの選択後直接メディアファイルが再生され、処理が時間的に速くなることを意味する。これは、図４においては、メディアファイルを再生するステップのボックスからメディアファイルを構築するステップのボックスへの破線によるオプションとして示されている。
【００５４】
第２のユーザが着呼に応答する、発呼者が電話を切る、ボイスメールが起動する等の処理があるまで、処理は反復されうる。
【００５５】
メディア信号の作成はリアルタイムで行われるが、作成されたメディア信号はまた、例えば発呼者の番号と関連付けられて、メモリに格納されうる。作成されたメディア信号は、例えばその作成されたメディア信号を他者がダウンロード等できるように中央サーバに送信するなど、後で個別に使用できるように、格納される。
【００５６】
送信情報がリストにない番号からの着呼であれば、メディア信号はランダムに組み合わされるか、又は、特定カテゴリのサウンドファイル等により開始されるようにすることができる。
【００５７】
ユーザが応答する、ボイスメールが起動する、発呼者が電話を切る等の処理があるまで、メディアファイルの選択の処理が実行され繰り返し再生されうる。
【００５８】
メディアファイルは、通信端末の内部メモリ及び、メモリスティック／ＳＩＭカード等に格納されうる。メディアファイルは、定期的に更新され、あるいは、サウンドファイルサーバ等からダウンロードされる。
【００５９】
幾つかの実施形態において、通信端末が作成するメディア信号は、静止画若しくは動画、及びオーディオのサンプルを含むマルチメディア信号である。この場合、再生される信号はオーディオ−ビジュアル信号でありうる。
【００６０】
図３に戻り、幾つかの実施形態において、通信端末におけるメディア信号の再生方法が提供される。この方法は、通信端末の制御ユニットによる制御の下において、ネットワークを介して伝送情報を受信する受信ステップ５２と、メディア信号を形成する第１の順序で、通信端末に記憶されている複数のメディアファイルを選択する選択ステップ５４と、前記第１の順序で選択された複数のメディアファイルを通信端末の出力装置を介して再生する再生ステップ５６とを有する。
【００６１】
なお、通信端末に記憶されるとは、通信端末のメモリや、ＳＩＭカード、メモリスティック等の取り外し可能メモリに記憶されることを意味する。
【００６２】
幾つかの実施形態では、選択ステップはランダムに実行される。
【００６３】
幾つかの実施形態では、伝送情報は発呼者識別情報を含み、選択ステップは発呼者識別情報に基づく。
【００６４】
本方法は、発呼者識別情報が通信端末のアドレスリストにおける名前に格納されているかを判断するオプションのステップ（図４のステップＳ１）を更に有することができ、前記選択ステップはアドレスリストにおける名前に基づく。
【００６５】
幾つかの実施形態では、選択された複数のメディアファイルは、連続して１つずつ出力装置に送信され、選択が行われると直ちに再生される。
【００６６】
幾つかの実施形態では、選択された複数のメディアファイルは互いに付属されて出力装置に送信に送信される。
【００６７】
幾つかの実施形態では、メディアファイルはオーディオファイルを含む。
【００６８】
幾つかの実施形態では、メディアファイルは、スポーツ、動物、楽器、奇妙な音などのカテゴリ別に分類されて記憶され、前記選択ステップは、少なくとも１つのカテゴリ内のメディアファイルを選択するよう事前に設定される。
【００６９】
幾つかの実施形態では、前記選択ステップは、ＳＭＳ、ＭＭＳ、電子メール又は呼等の、受信した伝送情報のフォーマットに基づいて実行される。
【００７０】
本方法を実行するために、通信端末は、ネットワークを介して伝送情報を受信する受信ユニット３２と、メディア信号を出力する出力ユニット２０、２４と、伝送情報が受信されると、メディア信号を形成する第１の順序で、記憶されている複数のメディアファイルを選択し、選択した複数のメディアファイルを出力ユニット２０、２４に送信する制御ユニット３０とを有し、出力ユニット２０、２４は、当該第１の順序で複数のメディアファイルを再生する。
【００７１】
幾つかの実施形態では、制御ユニット３０は、伝送情報が通信端末のアドレスリストにおける連絡先として記憶された発呼者から発信されたものであるかを判断し、その連絡先に基づいてメディアファイルを選択する。
【００７２】
幾つかの実施形態では、制御ユニット３０は、構築されるメディア信号を形成する複数のメディアファイルをランダムに選択する。
【００７３】
幾つかの実施形態では、制御ユニット３０は、伝送情報を発信した発呼番号に基づいて複数のメディアファイルを選択する。
【００７４】
幾つかの実施形態では、複数のメディアファイルは通信端末のメモリ３４にカテゴリ別に分類されて記憶されており、制御ユニット３０は、設定されたカテゴリ内のメディアファイルを選択する。
【００７５】
幾つかの実施形態では、制御ユニット３０は、伝送情報のフォーマットに基づいて複数のメディアファイルを選択する。
【００７６】
幾つかの実施形態では、メディアファイルはオーディオファイルを含み、出力ユニット２０、２４はスピーカ２４を含む。
【００７７】
幾つかの実施形態では、メディアファイルは映像ファイルを含み、出力ユニット２０、２４はディスプレイ２０を含む。
【００７８】
また、コンピュータが使用可能な記憶媒体に格納されたコンピュータプログラムであって、通信端末の制御ユニットに、ネットワークを介して伝送情報を受信する受信ステップ、メディア信号を形成する第１の順序で、通信端末のメモリに記憶されている複数のメディアファイルを選択する選択ステップ、通信端末の出力装置を介して、当該第１の順序で複数のメディアファイルを再生する再生ステップを実行させるためのコンピュータプログラムが提供される。
【００７９】
幾つかの実施形態では、コンピュータプログラムの選択ステップはランダムに実行される。
【００８０】
幾つかの実施形態では、伝送情報は発呼者識別情報を含み、コンピュータプログラムの選択ステップは発呼者識別情報に基づく。
【００８１】
幾つかの実施形態では、コンピュータプログラムは、発呼者識別情報が通信端末のアドレスリストにおける名前に格納されているかを判断させるステップを更に有し、前記選択ステップはアドレスリストにおける名前に基づく。
【００８２】
幾つかの実施形態では、メディアファイルは、スポーツ、動物、楽器、奇妙な音などのカテゴリ別に分類されて記憶されており、前記選択ステップは、少なくとも１つのカテゴリ内のメディアファイルを選択するよう事前に設定される。
【００８３】
幾つかの実施形態では、前記選択ステップは、ＳＭＳ又は呼のような、受信した伝送情報のフォーマットに基づいて実行される。
【００８４】
図面及び明細書においては、本発明の例示的な実施形態を開示した。ただし、本発明の原理から実質的に逸脱することなくこれらの実施形態に多くの変形及び修正を行うことができる。従って、特定の用語が使用されているが、それらは一般的で説明の意味においてのみのものであって、限定のためではなく、本発明の範囲は、特許請求の範囲によって定義される。
【図１】
2011520322.tif 000003
【図２】
2011520322.tif 000004
【図３】
2011520322.tif 000005
【図４】
2011520322.tif 000006
【手続補正書】
【提出日】平成22年1月19日(2010.1.19)
【手続補正１】
【補正対象書類名】明細書
【補正対象項目名】０００２
【補正方法】変更
【補正の内容】
【０００２】
今日、セルラ電話機等の通信端末における特徴はその数が増え、通信端末のユーザによって使用されるサービスに価値を付加されている。通信端末装置のユーザは一般に、通信端末のスピーカを通じて出力される信号により着呼を知らされるようになっている。アドレスリストにおける異なる連絡先について異なる信号を通信端末に蓄積しておき、各連絡先に特有な信号を関連付けておくことにより、ユーザは電話機を見ることなく誰からの呼なのかを認識することができる。
国際公開ＷＯ０２／０７４１２には、メディア信号が生成されユーザに受け取られるシステムが開示されている。また、米国特許出願公開２００５／０１１４８００には、無線装置にメディアパッケージがプリセットされるシステムが開示されている。
【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
通信端末におけるメディア信号を再生する方法であって、該通信端末の制御ユニットの制御の下において、
ネットワークを介して、発呼者の情報を含む伝送情報を受信する受信ステップ（５２）と、
前記伝送情報が受信されると、所定の選択方法に従い、メディア信号を形成する第１の順序で、前記通信端末に記憶されている複数のメディアファイルをリアルタイムに自動的に選択する選択ステップ（５４）と、
前記選択された複数のメディアファイルを前記通信端末の出力装置を介して前記第１の順序で再生する再生ステップ（５６）と、
を有し、
各メディアファイルは所定の文字又は数字に関連付けられており、前記所定の選択方法は、前記通信端末のアドレスリストにおける前記発呼者に関連付けられた名前の文字に従って、又は、前記発呼者の発呼番号における数字若しくは数字の組み合わせに従って、前記複数のメディアファイルのメディア信号を作成する方法であり、
前記再生ステップでは、前記選択が行われると、前記選択された複数のメディアファイルが１つずつ連続的に前記出力装置に送信されて再生される
ことを特徴とする方法。
【請求項２】
前記選択は、前記発呼者の発呼番号における数字の並びの組み合わせに基づくことを特徴とする請求項１に記載の方法。
【請求項３】
前記複数のメディアファイルは、前記アドレスリストにおける前記名前の特定の文字に関連付けられていることを特徴とする請求項１に記載の方法。
【請求項４】
前記複数のメディアファイルはオーディオファイルを含むことを特徴とする請求項１乃至３のいずれか１項に記載の方法。
【請求項５】
前記複数のメディアファイルは、カテゴリに分類されて記憶されることを特徴とする請求項１乃至４のいずれか１項に記載の方法。
【請求項６】
前記選択ステップは、前記発呼者の連絡先のグループに基づく特定の方法で前記複数のメディアファイルを選択するよう事前に設定されることを特徴とする請求項１乃至５のいずれか１項に記載の方法。
【請求項７】
前記選択ステップは、前記受信した伝送情報のフォーマットに基づいて実行されることを特徴とする請求項１乃至６のいずれか１項に記載の方法。
【請求項８】
通信端末（１０）であって、
ネットワークを介して、発呼者の情報を含む伝送情報を受信する受信ユニット（３２）と、
メディア信号を出力する出力ユニット（２０，２４）と、
前記伝送情報が受信されると、所定の選択方法に従い、メディア信号を形成する第１の順序で、記憶されている複数のメディアファイルをリアルタイムに自動的に選択し、該選択した複数のメディアファイルを１つずつ連続的に前記出力ユニット（２０，２４）に送信する制御ユニット（３０）と、
を有し、
各メディアファイルは所定の文字又は数字に関連付けられており、前記所定の選択方法は、前記通信端末のアドレスリストにおける前記発呼者に関連付けられた名前の文字に従って、又は、前記発呼者の発呼番号における数字若しくは数字の組み合わせに従って、前記複数のメディアファイルのメディア信号を作成する方法であり、
前記出力ユニット（２０，２４）は、前記選択が行われると、前記第１の順序で前記複数のメディアファイルを再生する
ことを特徴とする通信端末。
【請求項９】
前記複数のメディアファイルは、前記通信端末のメモリ（３４）にカテゴリ別に分類されて記憶されており、前記制御ユニット（３０）は、設定されたカテゴリ内のメディアファイルを選択することを特徴とする請求項８に記載の通信端末。
【請求項１０】
前記制御ユニット（３０）は、前記伝送情報のフォーマットに基づいて前記複数のメディアファイルを選択することを特徴とする請求項８又は９に記載の通信端末。
【請求項１１】
前記複数のメディアファイルはオーディオファイルを含み、前記出力ユニット（２４）はスピーカを含むことを特徴とする請求項８乃至１０のいずれか１項に記載の通信端末。
【請求項１２】
前記複数のメディアファイルは映像ファイルを含み、前記出力ユニット（２０）はディスプレイを含むことを特徴とする請求項８乃至１１のいずれか１項に記載の通信端末。
【請求項１３】
コンピュータが使用可能な記憶媒体に格納されたコンピュータプログラムであって、通信端末の制御ユニットに、
ネットワークを介して伝送情報を受信する受信ステップ、
所定の選択方法に従い、メディア信号を形成する第１の順序で、前記通信端末のメモリに記憶されている複数のメディアファイルを選択する選択ステップ、
前記通信端末の出力装置を介して、前記複数のメディアファイルを前記第１の順序で再生する再生ステップ、
を実行させるためのコンピュータプログラムであり、
各メディアファイルは所定の文字又は数字に関連付けられており、前記所定の選択方法は、前記通信端末のアドレスリストにおける前記発呼者に関連付けられた名前の文字に従って、又は、前記発呼者の発呼番号における数字若しくは数字の組み合わせに従って、前記複数のメディアファイルのメディア信号を作成する方法である
ことを特徴とするコンピュータプログラム。
【請求項１４】
前記複数のメディアファイルは、カテゴリ別に分類されて記憶されており、前記選択ステップは、少なくとも１つのカテゴリ内のメディアファイルを選択するよう事前に設定されることを特徴とする請求項１３に記載のコンピュータプログラム。
【請求項１５】
前記選択ステップは、前記受信した伝送情報のフォーマットに基づいて実行されることを特徴とする請求項１３又は１４に記載のコンピュータプログラム。
【国際調査報告】
2011520322.tif 000007
2011520322.tif 000008
2011520322.tif 000009